(57)【要約】【課題】表示部の露出面積を指定して表示領域を露出させると共に、表示領域に表示される画像の表示状態を調整することができる携帯電子機器を提供することを目的とする。【解決手段】携帯電子機器１０の主制御部２６０は、操作部１８から特定キーの入力を検出すると、表示部移動制御部２６３に露出面積の決定指示内容が視認可能な表示領域を露出させる。主制御部２６０は、特定キーの間に入力された数値を検出すると、適正な表示部１２の露出面積の決定指示がなされたと判断して、入力数値が適正な値か否かを判断する。入力数値が適正であれば、主制御部２６０は、表示部１２の表示領域が入力数値に応じた露出面積になるまで表示部移動制御部２６３によって駆動モータ１６を回転制御し、表示部を移動させて、指定した露出面積の表示領域を露出させることができる。【選択図】図３
2011135365.tif 000002
【特許請求の範囲】
【請求項１】
筐体と、
前記筐体内に収納された位置と、前記筐体外へ露出した位置との間で移動可能な表示部と、
前記表示部を移動させ、前記表示部が前記筐体から露出している表示領域の露出面積を調整可能な調整部と、
操作指示が入力される操作部と、
前記調整部の動作、及び前記表示部での表示を制御する制御部と、を有し、
前記制御部は、前記操作部に前記表示領域の露出面積を決定する指示が入力されたことを検出したら、前記調整部により前記表示部を移動させ、前記表示領域の露出面積を決定された露出面積とすることを特徴とする携帯電子機器。
【請求項２】
前記制御部は、前記表示部の露出している表示領域の状態に応じて、前記表示部に表示する画像の大きさ、画像の位置、画像の方向、画像の数、画像の配列のうち、少なくとも一つを調整することを特徴とする請求項１に記載の携帯電子機器。
【請求項３】
前記制御部は、複数の機能を並列に実行可能であり、
前記制御部は、前記表示部の露出している表示領域の状態が予め設定された条件を満たしたら、並列に実行可能な前記複数の機能の一覧を前記表示領域に表示させることを特徴とする請求項１または２に記載の携帯電子機器。
【請求項４】
前記制御部は、前記操作部に複数の機能を並列に実行する指示が入力されたことを検出したら、指示された複数の機能を前記表示領域に並列に表示させることを特徴とする請求項３に記載の携帯電子機器。
【請求項５】
前記予め設定された条件は、露出している表示領域のうち、新たに画像を表示可能な領域の大きさが閾値を超えていることであることを特徴とする請求項３または４に記載の携帯電子機器。
【請求項６】
前記制御部は、前記表示部の露出している表示領域の状態に応じて、前記表示部の表示領域に表示する画像の縦横比を決定し、決定された縦横比に基づいて前記画像を前記表示領域に表示することを特徴とする請求項１から５のいずれか１項に記載の携帯電子機器。
【請求項７】
前記制御部は、前記表示部の露出している表示領域の状態に応じて、前記表示部の表示領域に表示する文字サイズとアイコンサイズの少なくとも一方を調整することを特徴とする請求項１から６のいずれか１項に記載の携帯電子機器。
【請求項８】
さらに、画像を撮影する撮像部を備え、
前記撮像部は、前記表示部の表示領域の露出面積に対応するサイズで画像を取得することを特徴とする請求項１から７のいずれか１項に記載の携帯電子機器。
【請求項９】
前記露出面積を決定する指示は、ドット数、長さ、露出割合の少なくとも１つで入力されることを特徴とする請求項１から８のいずれか１項に記載の携帯電子機器。
【請求項１０】
前記表示部は、可撓性を有し、
前記調整部は、前記表示部を前記筐体内に巻き取って収納する巻き取り部と、前記巻き取り部を回転させる駆動部とを備え、
前記駆動部により前記巻き取り部を巻き取り方向に回転させて、前記表示部を前記筐体に収納し、前記駆動部により前記巻き取り部を巻き取り方向と逆方向に回転させて、前記表示部を前記筐体外に露出させることを特徴とする請求項１から９のいずれか１項に記載の携帯電子機器。
【請求項１１】
前記表示部は、前記筐体外に露出可能な表示領域の面積が、前記筐体の最も広い面の面積よりも大きいことを特徴とする請求項１から１０のいずれか１項に記載の携帯電子機器。
【発明の詳細な説明】
【技術分野】
【０００１】
本発明は、筐体外へ露出可能な表示部を有する携帯電子機器に関する。
【背景技術】
【０００２】
従来の携帯電子機器は、筐体本体の一部に閲覧情報や操作情報等を表示する表示部が設けられている。また、携帯電子機器としての携帯電話機では、近年、携帯電話・移動体端末向けの１セグメント部分受信サービス（以下、ワンセグという）、ハイビジョンビデオカメラ、高画素カメラ、あるいは、ＰＣサイト閲覧ブラウザなどの多機能化が進んでいる。このため、表示部に表示させる画像は種々の画像を表示させる必要がある。
【０００３】
また、表示部に表示させる画像を調整する装置も提案されている。例えば、特許文献１には、アプリケーションで使用されたアイコンやピクトグラム（絵文字）などを表示頻度に応じて、自動で並べ替えて表示させる携帯電話機が開示されている。
【先行技術文献】
【特許文献】
【０００４】
【特許文献１】特開２００２−２１５２８７号公報
【発明の概要】
【発明が解決しようとする課題】
【０００５】
ここで、特許文献１に記載の装置のように、携帯電子機器は、表示部が筐体の表面に設けられている。そのため、表示部の大きさが制限されている。そこで、より大きい表示部を備えるためには、筐体を大型化する必要があり、大画面化は困難となる。また、特許文献１に記載の装置のように、表示順序を並べ替えることで、より適切な画像を表示させることができるが、表示の工夫にも限界があった。
【０００６】
本発明は、上記に鑑みてなされたものであって、使用用途に応じて適切に表示部を利用することができる携帯電子機器を提供することを目的とする。
【課題を解決するための手段】
【０００７】
本発明は、携帯電子機器であって、筐体と、前記筐体内に収納された位置と、前記筐体外へ露出した位置との間で移動可能な表示部と、前記表示部を移動させ、前記表示部が前記筐体から露出している表示領域の露出面積を調整可能な調整部と、操作指示が入力される操作部と、前記調整部の動作、及び前記表示部での表示を制御する制御部と、を有し、前記制御部は、前記操作部に前記表示領域の露出面積を決定する指示が入力されたことを検出したら、前記調整部により前記表示部を移動させ、前記表示領域の露出面積を決定された露出面積とすることを特徴とする。
【０００８】
ここで、前記制御部は、前記表示部の露出している表示領域の状態に応じて、前記表示部に表示する画像の大きさ、画像の位置、画像の方向、画像の数、画像の配列のうち、少なくとも一つを調整することが好ましい。
【０００９】
また、記制御部は、複数の機能を並列に実行可能であり、前記制御部は、前記表示部の露出している表示領域の状態が予め設定された条件を満たしたら、並列に実行可能な前記複数の機能の一覧を前記表示領域に表示させることが好ましい。
【００１０】
また、前記制御部は、前記操作部に複数の機能を並列に実行する指示が入力されたことを検出したら、指示された複数の機能を前記表示領域に並列に表示させることが好ましい。
【００１１】
また、前記予め設定された条件は、露出している表示領域のうち、新たに画像を表示可能な領域の大きさが閾値を超えていることであることが好ましい。
【００１２】
また、前記制御部は、前記表示部の露出している表示領域の状態に応じて、前記表示部の表示領域に表示する画像の縦横比を決定し、決定された縦横比に基づいて前記画像を前記表示領域に表示することが好ましい。
【００１３】
また、前記制御部は、前記表示部の露出している表示領域の状態に応じて、前記表示部の表示領域に表示する文字サイズとアイコンサイズの少なくとも一方を調整することが好ましい。
【００１４】
さらに、画像を撮影する撮像部を備え、前記撮像部は、前記表示部の表示領域の露出面積に対応するサイズで画像を取得することが好ましい。
【００１５】
また、前記露出面積を決定する指示は、ドット数、長さ、露出割合の少なくとも１つで入力されることが好ましい。
【００１６】
また、前記表示部は、可撓性を有し、前記調整部は、前記表示部を前記筐体内に巻き取って収納する巻き取り部と、前記巻き取り部を回転させる駆動部とを備え、前記駆動部により前記巻き取り部を巻き取り方向に回転させて、前記表示部を前記筐体に収納し、前記駆動部により前記巻き取り部を巻き取り方向と逆方向に回転させて、前記表示部を前記筐体外に露出させることが好ましい。
【００１７】
また、前記表示部は、前記筐体外に露出可能な表示領域の面積が、前記筐体の最も広い面の面積よりも大きいことが好ましい。
【発明の効果】
【００１８】
本発明にかかる携帯電子機器は、表示部の露出面積を変更することができ、使用用途に応じて適切に表示部を利用することができるという効果を奏する。
【図面の簡単な説明】
【００１９】
【図１】本発明の実施形態１にかかる携帯電子機器の外観斜視図である。
【図２】図１に示す携帯電子機器のＡ−Ａ線断面図である。
【図３】本発明の実施形態１にかかる携帯電子機器の概略構成を示すブロック図である。
【図４】携帯電子機器の動作を説明するための平面図である。
【図５−１】携帯電子機器の動作を説明するための平面図である。
【図５−２】携帯電子機器の動作を説明するための平面図である。
【図６】携帯電子機器の動作の一例を示すフロー図である。
【図７−１】携帯電子機器の動作を説明するための平面図である。
【図７−２】携帯電子機器の動作を説明するための平面図である。
【図７−３】携帯電子機器の動作を説明するための平面図である。
【図８】携帯電子機器の動作の他の例を示すフロー図である。
【図９−１】携帯電子機器の動作を説明するための平面図である。
【図９−２】携帯電子機器の動作を説明するための図である。
【図１０】携帯電子機器の動作の他の例を示すフロー図である。
【図１１−１】携帯電子機器の動作を説明するための平面図である。
【図１１−２】携帯電子機器の動作を説明するための平面図である。
【図１１−３】携帯電子機器の動作を説明するための平面図である。
【図１２】携帯電子機器の動作の他の例を示すフロー図である。
【発明を実施するための形態】
【００２０】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器の一例として携帯電話機を取り上げるが、本発明の適用対象は携帯電話機に限定されるものではなく、例えば、ＰＨＳ（Personal Handyphone System）、ＰＤＡ、ポータブルナビゲーション装置、ノートパソコン、ゲーム機等に対しても本発明は適用できる。
【００２１】
（実施形態１）
まず、携帯電子機器の外観の構成を説明する。図１は、本発明の実施形態１にかかる携帯電子機器の外観斜視図であり、図２は、図１に示す携帯電子機器のＡ−Ａ線断面図である。
【００２２】
携帯電子機器１０は、無線通信機能を備えた携帯電話機であり、図１及び図２に示すように、筐体１１が略直方体形状で構成された、いわゆるストレート型携帯電話機である。また、筐体１１は、略直方体形状であり、面積が最も大きい面の長手方向の辺と隣接する面（長手側の側面）の一部に開口部１１ａ形成されている。
【００２３】
筐体１１内には、可撓性を有するフィルム状の表示部１２が収納されている。表示部１２は、開口部１１ａを通過して少なくとも一部が筐体１１から露出可能となっている。表示部１２の外周部には、露出した表示部１２の平面性を保つためのフレーム１２ａが配置されている。フレーム１２ａは、フレームとしての剛性を領域毎に変化可能な構成であり、筐体１１内部に収納されている部分は、折れ曲がり可能な状態で表示部１２と連結され、筐体１１から露出されている部分は、一定以上の剛性を有し、折れ曲がらない状態で表示部１２と連結される。なお、表示部１２としては、有機エレクトロルミネッセンス（Organic Electro-Luminescence：有機EL）、液晶ディスプレイ（Liquid Crystal Display：LCD）などを用いることができる。
【００２４】
また、表示部１２は、露出時の先端となる端部とは反対側の端部が回転可能な棒状の巻き取り部１４に連結されている。巻き取り部１４は、回転自在に支持されており、駆動モータ１６が連結されている。駆動モータ１６は、巻き取り部１４を巻き取り方向と逆方向に回転させることにより、表示部１２を筐体１１外に露出させたり、筐体１１内に収納したりする。具体的には、駆動モータ１６により巻き取り部１４を一方の方向（上述の逆方向）に回転させ、表示部１２を矢印Ｂ方向に移動させることで、表示部１２を筐体１１外に露出させる。駆動モータ１６により巻き取り部１４を他方の方向（上述の巻き取り方向）に回転させ、表示部１２を矢印Ｃ方向に移動させることで、表示部１２を筐体１１内に収納したりする。なお、駆動モータ１６には、ステッピングモータなどを好適に用いることができる。なお、駆動モータ１６は、ウォームギヤ、あるいは、かさ歯車（ベベルギヤ）などを介在させて巻き取り部１４と連結されており、これらの部材を介して動力を伝達している。
【００２５】
携帯電子機器１０の筐体１１の面積が最も大きい面には、携帯電話機の入力操作を行う操作部１８が配置されている。操作部１８としては、操作キーや方向及び決定キー１８ａなどを備えている。また、携帯電子機器１０には、音声通話時に送話音声を取り込むマイク２２と受話音声を受けるレシーバ２４の他、操作部１８と対向する裏面側、つまり方向及び決定キー１８ａが配置されている面とは反対の面側には、画像を撮影するカメラモジュールなどの撮像部２０が配置されている。
【００２６】
次に、図３は、本発明の実施形態１にかかる携帯電子機器の概略構成を示すブロック図である。以下、図３を用いて、上述した携帯電子機器１０の機能構成について説明する。図３に示すように携帯電子機器１０は、上述した表示部１２、巻き取り部１４、駆動モータ１６、操作部１８、撮像部２０、マイク２２、レシーバ２４に加え、制御装置２６、主制御部２６０、表示制御部２６１、表示部移動制御部２６３、撮像制御部２６４、音声処理部２６５、電力制御部２６６、ワンセグ受信部２６７、メール送受信部２６８、及び記憶部２６９を備えている。
【００２７】
制御装置２６の主制御部２６０は、ＣＰＵ（Central Processing Unit）、マイクロプロセッサユニット（ＭＰＵ：Micro Processor Unit）等の携帯電子機器１０の全体的な動作を統括的に制御する処理部であり、表示制御部２６１や、表示部移動制御部２６３や、撮像制御部２６４や、音声処理部２６５や、ワンセグ受信部２６７や、メール送受信部２６８等の動作を制御する。
【００２８】
主制御部２６０は、記憶部２６９に保存されているプログラム（例えば、オペレーティングシステムプログラム、アプリケーションプログラム等）に基づいて各種の処理を実行する。すなわち、主制御部２６０は、記憶部２６９に保存されるオペレーティングシステムプログラムやアプリケーションプログラム等から命令コードを順次読み込んで処理を実行する。また、記憶部２６９には、主制御部２６０での処理に利用されるソフトウェアやデータが保存されている。
【００２９】
表示制御部２６１は、表示部１２に表示する画像の表示制御を行う。また、表示部移動制御部２６３は、駆動モータ１６を駆動し、表示部１２の露出面積の調整制御を行う。さらに、撮像制御部２６４は、撮像部２０による画像撮影を制御し、音声処理部２６５は、マイク２２、レシーバ２４と連結され、音声の出力、入力を制御する。電力制御部２６６は、バッテリ、外部電力源の電力供給機構と連結し、主制御部２６０等への電力供給を制御する。また、ワンセグ受信部２６７は、ワンセグテレビの受信を制御し、メール送受信部２６８は、電子メールの作成及び送受信を制御する。なお、制御装置２６は、上記各部以外にも、スケジュール管理、アドレス帳の管理、あるいは、カレンダーの管理等、種々の機能を制御する制御機能を備える。
【００３０】
次に、図４、図５−１、図５−２を用いて、実施形態１における携帯電子機器１０の動作について説明する。ここで、図４、図５−１及び図５−２は、それぞれ、携帯電子機器の動作を説明するための平面図である。具体的には、図４は、表示部が筐体内に収納されている操作前の基本状態を示し、図５−１は、表示部の露出面積を指定する状態を示し、図５−２は、露出面積の指定に従って表示部を筐体外に露出させた状態を示している。なお、以下の制御動作では、表示面積の指示を表示部の画素数（ドット）によって指示する例として説明する。また、露出面積を決定する特定キーとしては、＊（アススリスク）を用い、特定キーによって挟まれた数値（画素数：ドット）を露出面積の指示として検出する。
【００３１】
まず、携帯電子機器１０は、機能を実行していない場合、図４に示すように、表示部１２が筐体１１内に全て収納されていて、筐体１１外に表示部１２が露出していない状態にある。この状態で、携帯電子機器１０の主制御部２６０は、操作部１８から露出面積を決定する指示が入力されるのを待っている。
【００３２】
このように表示部１２を露出していない状態で、操作部の特定のキーが押下されると、表示部移動制御部２６３は、駆動モータ１６を駆動させ、表示部１２を一定領域露出させる。その後、露出面積を決定する特定キー（本実施形態では、アスタリスク）と露出面積を示す数値（本実施形態では、６０）と、特定キー（本実施形態では、アスタリスク）が入力される。この入力された情報は、図５−１に示すように、露出した表示部１２に表示される。その後、入力された数値に応じて表示部１２の露出面積が調整され、図５−２に示すように、６０ドット分の表示部１２が筐体１１から露出される。
【００３３】
なお、操作部１８から入力される露出面積を決定する指示としては、上記の表示部の画素数（ドット）に限定されず、露出する表示部の長さ（ｍｍ）、最大露出量を１００とした時の露出割合（％）などを種々のパラメータを用いることができる。また、上記パラメータを用い、開口に直交する方向の長さ成分を入力させることで、露出面積を調整することが好ましいが、面積を入力させるようにすることもできる。
【００３４】
以下、図６を用いて、具体的な制御について説明する。ここで、図６は、携帯電子機器の制御動作の一例を示すフロー図である。まず、携帯電子機器１０は、表示部１２が全て筐体１１内にある状態である。この時、携帯電子機器１０の主制御部２６０は、露出面積を決定する特定キー（前述したアスタリスク）の入力があるかを判定する（ステップＳ１００）。主制御部２６０は、特定キーの入力なし（ステップＳ１００でＮｏ）と判定したら、再びステップＳ１００に進む。つまり、主制御部２６０は、露出面積を決定する特定キーの入力を処理開始のトリガーとし、特定キーが入力されるまで、ステップＳ１００を繰り返す。
【００３５】
次に、主制御部２６０は、特定キーの入力あり（ステップＳ１００でＹｅｓ）と判定したら、表示部移動制御部２６３により駆動モータ１６を駆動させ、表示部１２を一定面積露出させる（ステップＳ１０１）。このように、表示部を一部露出させることで、入力された文字を表示部に表示させることができ、操作者が入力内容を確認することができる。なお、ステップＳ１０１での表示部の一定面積（表示領域の露出面積）は、任意の面積とすることができるが、例えば、１文字が９ドットで表示される場合、２０ドット程度の表示領域を露出させれば、入力内容を確認することができる。
【００３６】
主制御部２６０は、表示部を一部露出させたら、キー操作が入力されたかを判定する（ステップＳ１０２）。主制御部２６０は、キー操作が入力されていない（ステップＳ１０２でＮｏ）と判定したら、一定時間が経過したかを判定する（ステップＳ１０８）。主制御部２６０は、一定時間が経過した（ステップＳ１０８でＹｅｓと判定したら）、タイムアウトとして、処理を終了する。なお、この時、主制御部２６０は、露出させていた表示部１２を筐体１１内に収納させることが好ましい。また、主制御部２６０は、一定時間経過していない（ステップＳ１０８でＮｏ）と判定したら、ステップＳ１０２に進み、キー操作が入力されたかを判定する。
【００３７】
次に、主制御部２６０は、ステップＳ１０２で操作キーの入力有り（ステップＳ１０２でＹｅｓ）と判定したら、特定キーの入力有りかを判定する（ステップＳ１０３）。つまり、主制御部２６０は、ステップＳ１０２で検出された操作キーの入力は、特定キーの入力であるかを判定する。主制御部２６０は、特定キーが入力されていない（ステップＳ１０３でＮｏ）と判定したら、ステップＳ１０８に進み、特定キーが入力されている（ステップＳ１０３でＹｅｓ）と判定したら、入力数値の識別を行う（ステップＳ１０４）。つまり、主制御部２６０は、特定キーの間に挟まれた数値（入力値）の識別を行う。
【００３８】
主制御部２６０は、入力数値の識別を行ったら、識別した数値がエラー値であるかを判定する（ステップＳ１０５）。主制御部２６０は、入力数値がエラー値ではない（ステップＳ１０５でＮｏ）と判定したら、表示部移動制御部２６３により、表示部の露出面積が入力数値に応じた面積になるまで表示部１２を移動させ（ステップＳ１０６）、処理を終了する。
【００３９】
また、主制御部２６０は、ステップＳ１０５で、識別した数値がエラー値である（ステップＳ１０５でＹｅｓ）と判定したら、エラー値をキャンセルし、つまり、入力値をキャンセルし（ステップＳ１０７）、ステップＳ１０２に進む。
【００４０】
このように、携帯電子機器１０は、表示部の表示面積を調整することができ、操作者が所望する面積だけ、表示部を表示させることができる。これにより、必要にあわせて、表示面積を調整することができる。具体的には、ワンセグの視聴時や画像確認時等の場合は、表示部を大きく（大面積）で露出させることができ、かつ、移動時、混雑した車内では、表示部を小さく露出させることができる。これにより、使用用途に応じて、使用することができる。また、常に大画面で露出する必要がないため、操作性を高くすることができる。
【００４１】
また、表示部の表示領域の露出面積の入力が開始されたことを検出したら（つまり、最初の特定キーの入力を検出したら）、入力数値が確認できる程度に表示領域を露出させることで、入力した数値を確認することが可能となる。これにより、操作者が、入力数値が適正であるか否かを確認しながら操作することができ、所望の露出面積の表示領域を確実に露出させることができる。
【００４２】
また、携帯電子機器１０は、表示部１２を全く露出させない構成とすることができるため、操作前等は、表示部の最大表示面積に対して装置をコンパクトにすることができる。
【００４３】
なお、上記実施形態１では、表示部１２を露出させる動作について説明したが、既に露出している露出面積を変更する場合も同様の制御で処理を行うことができる。なお、この場合は、ステップＳ１０１の処理が省略され、既に露出している表示部１２の表示領域を用いればよい。なお、露出面積を調整する操作としては、露出面積を広くする操作（収納されている一部を露出させる操作）、露出面積を小さくする操作（露出されている一部を収納する操作）の両方とも実行可能である。また、特定のキーが入力されたら、表示部１２を全て収納させることもできる。つまり、図４の状態に戻す操作も実行可能である。
【００４４】
ここで、本実施形態１のように、表示部１２を筐体１１から露出させる露出口１１ａを筐体１１の長手方向の面に設け、かつ、筐体１１の長手方向と、最大面積で露出させた表示部１２の短手方向とを同一方向とすることで、表示部１２の最大面積をより大きくすることができる。なお、表示部１２は、露出可能な表示領域の面積を、前記筐体の最も広い面の面積よりも大きくすることが好ましい。表示部１２を上記大きさにすることで、より大きな面積の画像を表示することが可能となる。
【００４５】
また、上記実施形態１では、構成を簡単にでき、よりコンパクトにでき、かつ、表示領域を大型化しやすいため、表示部１２を、可撓性を有するフィルム形状とし、巻き取り部によって巻き取って、筐体１１内に収納する構成としたが、本発明はこれに限定されない。例えば、表示部１２を、可撓性を備えない、つまり折れ曲がらない構成の表示部を筐体から出し入れさせることで、露出面積を調整可能とした構成としてもよい。
【００４６】
また、携帯電子機器１０は、表示部の露出している領域以外は、画像を表示させないようにすることが好ましい。つまり、表示部１２のうち、筐体内にある部分は、画像表示操作を行わないことが好ましい。具体的には、シャッターの動作をオフにしたり、バックライトによる照明を行わないにしたりする。これにより、駆動領域を低減することができ、消費電力を低減することができる。
【００４７】
（実施形態２）
次に、携帯電子機器１０の制御動作の実施形態２について説明する。実施形態２の特徴は、露出した表示部の表示領域内に表示される画像を、表示領域の露出面積に応じて、大きさ、位置、方向、数、配列のうち、少なくとも一つを調整可能にした点にある。これにより、表示部の露出面積が変更されても適切な画像を表示させることができる。なお、実施形態２は、制御動作が異なるのみで、装置構成は、実施形態１の携帯電子機器１０と同様である。
【００４８】
図７−１から図７−３を用いて、実施形態２における携帯電子機器１０の動作について説明する。ここで、図７−１から図７−３は、それぞれ、携帯電子機器の動作を説明するための平面図である。具体的には、図７−１は、撮像機能の起動時に露出される表示部にアイコンを表示した状態を示し、図７−２は、表示部の露出面積の変更操作中の状態を示し、図７−３は、変更指定に基づいて表示部の露出面積を変更した状態を示す。
【００４９】
まず、携帯電子機器１０は、操作者により撮像部２０の機能が起動されており、図７−１に示すように、表示部１２が一定領域露出されている。具体的には、撮像部２０のカメラ機能を使用するために必要な表示面積が露出されている。また、表示部１２の画面には、カメラ機能の各種機能を表示させるアイコン１２１が複数表示されている。なお、図７−１に示す露出面積の場合、複数のアイコン１２１は、表示部１２の移動方向と平行な方向に、隣接して配列されている。また、複数のアイコン１２１以外にも画像が表示可能な状態となっている。
【００５０】
この状態から、操作者が露出面積を変更させる操作が入力されたら、図７−２に示すように、入力された操作を表示部１２に表示させる。なお、本実施形態２では、「＊２０＊」と入力されている。携帯電子機器１０は、このように特定キーと露出面積の数値が入力されたら、表示部移動制御手段２６３を用いて、入力された数値に従って、表示面積を調整する。また、この時、携帯電子機器１０は、表示制御部２６１により、図７−３に示すように、露出されている表示部１２の表示領域にアイコン１２１が表示されるように、表示部１２の露出面積に応じて、アイコン１２１の表示位置、大きさ等を調整する。なお、図７−３に示す露出面積の場合、複数のアイコン１２１は、表示部１２の移動方向と直交する方向に、隣接して配列されている。また、複数のアイコン１２１以外には略画像が表示できない状態となっている。
【００５１】
以下、図８を用いて、具体的な制御について説明する。ここで、図８は、携帯電子機器の制御動作の一例を示すフロー図である。まず、携帯電子機器１０は、表示部１２が筐体１１から露出されていない状態である。この状態で、主制御部２６０が、アプリケーションの起動操作を検出したら（ステップＳ２００）、起動操作が入力されたアプリケーションを起動させ、起動したアプリケーションが必要とする表示領域の露出処理を行う（ステップＳ２０１）。なお、この場合の露出面積は、アプリケーション毎に予めデフォルト設定された値が記憶部２６９に記憶されている面積を用いても、操作者が入力した露出面積を用いてもよい。主制御部２６０は、表示部１２を所定面積露出させたら、表示オブジェクトの表示処理を行い（ステップＳ２０２）、表示部１２に画像を表示させる。つまり、主制御部２６０は、表示部に表示させるアイコン、ピクトグラフの選択、配置位置を調整して、作成した画像を表示させる。
【００５２】
主制御部は、表示部１２に画像を表示させたら、露出面積を決定する特定キー（前述したアスタリスク）の入力があるかを判定する（ステップＳ２０３）。主制御部２６０は、特定キーの入力なし（ステップＳ２０３でＮｏ）と判定したら、起動されているアプリケーションの操作処理を行い（ステップＳ２１５）、再び、ステップＳ２０３に進む。つまり、主制御部２６０は、露出面積を決定する特定キーの入力を処理開始のトリガーとし、特定キーが入力されるまで、アプリケーションを実行させながら、ステップＳ２０３を繰り返す。なお、処理としては、特定キーが入力されたら、下記のアプリケーションを起動させるようにしてもよい。
【００５３】
次に、主制御部２６０は、特定キーの入力あり（ステップＳ２０３でＹｅｓ）と判定したら、ステップＳ１０２に進む。なお、ステップＳ１０２〜ステップＳ１０８までの動作説明については、上記実施形態１の図６におけるステップＳ１０２〜ステップＳ１０８の説明と重複するため、説明を省略する。
【００５４】
主制御部２６０は、上記順で操作を行い、表示部１２の露出面積を調整したら（ステップＳ１０６）、表示部１２の露出面積に応じて、画像の大きさ、位置、方向、数、配列のうち少なくとも一つを調整する（ステップＳ２１２）。つまり、主制御部２６０は、変更された露出面積に応じて、画像を調整する処理を行う。具体的には、上述したようにアイコンの表示位置等を調整する。
【００５５】
主制御部２６０は、調整処理したら、調整した結果、全オブジェクトを表示可能か判定する（ステップＳ２１３）。つまり、主制御部２６０は、調整前に表示させていたオブジェクトつまり、アイコン、ピクトグラフを全て表示可能であるかを判定する。主制御部２６０は、オブジェクトを全て表示可能（ステップＳ２１３でＹｅｓ）と判定したら、ステップ２１２で調整した画像を表示させ、処理を終了する。
【００５６】
また、主制御部２６０は、オブジェクトを全て表示可能ではない（ステップＳ２１３でＮｏ）、つまり、表示できないオブジェクトがあると判定したら、ステップＳ２１４として、優先表示オブジェクトを選択し、選択したオブジェクトを表示部に表示させ、処理を終了する。なお、優先度の判定基準は、予め設定しておけばよい。
【００５７】
このように、画像が表示されている表示領域の露出面積が変更された場合、表示領域に表示される画像を変更後の露出面積に合わせて調整することにより、表示部１２の表示領域の露出面積が変更されても、適切な画像を表示させることができる。
【００５８】
なお、上記例では、アイコンなどの画像の位置や配置を調整したが、アイコンサイズを変えることで、表示できなかったアイコンを表示することも可能である。また、アイコンなどの画像に限らず、表示領域に表示される文字サイズも調整可能にすることで、表示領域の露出面積の変更に対応してもよい。
【００５９】
また、上記実施形態２では、表示領域の調整処理を終了したら、処理を終了させたが、再びステップＳ２０３に進み、特定キーが入力されたかを判定するようにしてもよい。つまり、アプリケーション実行中は、一度露出面積を変更させてもステップＳ２０３を繰り返すようにしてもよい。
【００６０】
（実施形態３）
次に、携帯電子機器１０の制御動作の実施形態３について説明する。実施形態３の特徴は、撮像部２０により撮影する画像のサイズを、指定された表示部の表示領域の露出面積に基づいて自動的に決定することである。これにより、撮影サイズを直感的に設定することができるので、撮影サイズの設定がより容易に行えるようになる。なお、実施形態３は、制御動作が異なるのみで、装置構成は、実施形態１の携帯電子機器１０と同様である。
【００６１】
次に、図９−１及び図９−２を用いて、実施形態３における携帯電子機器１０の動作について説明する。ここで、図９−１及び図９−２は、それぞれ、携帯電子機器の動作を説明するための平面図である。具体的には、図９−１は、撮像機能の起動時に表示部の露出面積を指定する状態を示し、図９−２は、表示部の露出面積の指定に基づく撮像サイズで撮影した画像例を示す。
【００６２】
まず、操作者の操作により露出面積が入力されたら、携帯電子機器１０は、図９−１に示すように表示部１２を露出させる。なお、図９−１は、露出面積が２４０ドット（＊２４０＊）と入力された場合である。このように、操作者によって指定された露出面積を露出させた後、撮像部２０が起動されると、撮影制御部２６４は、撮影によって取得する画像の画素数を表示部１２の露出面積に基づいて決定する。なお、図９−１の例では、露出面積が２４０ドット×３２０ドットとなっている。この設定で撮影が行われると、撮像部２０は、撮影画像として、図９−２に示すような２４０ドット×３２０ドットの画像を取得する。
【００６３】
以下、図１０を用いて、具体的な制御について説明する。ここで、図１０は、携帯電子機器の制御動作の一例を示すフロー図である。まず、携帯電子機器１０は、表示部１２が筐体１１から露出されていない状態である。この状態で、操作者による露出面積の設定操作が入力されたら、主制御部２６０は、表示部１２の表示領域の露出面積の指定と露出処理を行う（ステップＳ３００）。なお、このステップＳ３００における表示部の表示領域の露出面積の指定と露出処理は、上記した図６の処理と同じ処理であるため、説明を省略する。
【００６４】
主制御部２６０は、表示部１２を指定された露出面積分露出させたのち、撮像部２０の起動指示が入力されたら、撮像制御部２６４により、撮像部２０の起動処理を行う（ステップＳ３０１）。具体的には、主制御部２６０は、記憶部２６９から撮像部２０の機能のアプリケーションを読み出して起動処理を行う。主制御部２６０は、撮像制御部２６４により撮像部２０を起動させたら、撮像部２０の撮影サイズを、ステップＳ３００で指定された表示領域の露出面積に対応したサイズに設定する（ステップＳ３０２）。
【００６５】
主制御部２６０は、撮影サイズを設定した後、撮影指示が入力されたら、撮影処理を行う（ステップＳ３０３）。つまり、主制御部２６０は、ステップＳ３０２で設定された撮像部２０の撮影サイズの画像を取得する。主制御部２６０は、撮影処理を行い、画像を取得したら、処理を終了する。
【００６６】
このように、携帯電子機器１０は、表示部の表示領域が露出したサイズで撮影サイズを設定できるようにしたため、撮影サイズの設定をイメージし易くなる。これにより、直感的な操作が可能となり、操作性を高くすることができる。
【００６７】
なお、上記実施形態３では、表示面積に応じて、画像サイズ、つまり解像度を設定したが、これに限定されず、表示領域の露出面積の縦横比に応じて、撮影画像の縦横比を設定するようにしてもよい。また、撮影対象は、静止画に限定されず、動画としてもよい。また、サイズは、表示画像のそのままの表示画素数とする必要はなく、比例関係としてもよい。
【００６８】
（実施形態４）
次に、携帯電子機器１０の制御動作の実施形態４について説明する。実施形態４の特徴は、第１のアプリケーションを起動中に、表示部の表示領域の露出面積が指定されて露出面積を調整させ、第１のアプリケーションの画像を表示させていない表示領域（つまり余っている表示領域）が発生した場合は、第１のアプリケーシと並列処理可能で、かつ余っている表示領域に表示可能なアプリケーションの一覧を表示させ、一覧からアプリケーションが選択されたら、第１のアプリケーションと、選択されたアプリケーションを並列に表示させる点にある。これにより、表示領域を有効に活用することができる。なお、実施形態４は、制御動作が異なるのみで、装置構成は、実施形態１の携帯電子機器１０と同様である。
【００６９】
次に、図１１−１から図１１−３を用いて、実施形態４における携帯電子機器１０の動作について説明する。ここで、図１１−１から図１１−３は、それぞれ、携帯電子機器の動作を説明するための平面図である。具体的には、図１１−１は、ワンセグアプリケーションの起動時に表示部の露出面積が指定された状態を示す、図１１−２は、露出された表示領域に並列起動可能なアプリケーション一覧を表示した状態を示し、図１１−３は、表示領域に表示された一覧の中から選択されたアプリケーションを起動させて表示部に並列表示した状態を示している。
【００７０】
まず、操作者の操作によりワンセグアプリケーションを起動させている状態で、表示部１２の露出面積を調整する指示が入力されると、図１１−１に示すように、表示部１２の露出面積が調整される。なお、図１１−１に示す例では、露出面積を２４０ドットに調整している。また、露出面積２４０ドットは、ワンセグアプリケーションの使用する表示面積よりも広い面積となる。つまり、表示領域が所定面積以上余る。
【００７１】
このように、余った表示領域の面積が一定以上の場合は、余った表示領域に表示させるアプリケーションの選択処理が実行される。主制御部２６０は、余った表示領域に表示可能な、アプリケーションを抽出し、図１１−２に示すように選択画面（リスト）１２２を表示させる。なお、本実施形態４では、メール、スケジュール、アドレス帳、一ヶ月カレンダーが選択可能なアプリケーションとして抽出されている。また、表示部１２には、既に表示させているアプリケーションがワンセグである旨も表示されている。
【００７２】
この状態から、操作者がリストの中から表示させるアプリケーションを選択したら、図１１−３に示すように、表示部１２に、２つのアプリケーションが表示される。具体的には、表示領域１２３には、ワンセグの画像が表示され、表示領域１２４には、選択したもう１つのアプリケーションの画像が表示される。
【００７３】
以下、図１２を用いて、具体的な制御について説明する。ここで、図１２は、携帯電子機器の制御動作の一例を示すフロー図である。まず、携帯電子機器１０は、表示部１２が筐体１１から露出されていない状態である。この状態で、操作者により第１のアプリケーションの起動指示が入力されたら、主制御部２６０は、第１のアプリケーションの起動処理を行う（ステップＳ４００）。その後、第１のアプリケーションの実行中に、操作者による露出面積の設定操作が入力されたら、表示部１２の表示領域の露出面積の指定と露出処理を行う（ステップＳ４０１）。なお、このステップＳ４０１における表示部の表示領域の露出面積の指定と露出処理は、上記した図１０のステップＳ３００と同じ処理であるため、説明を省略する。
【００７４】
主制御部２６０は、露出面積を調整、変更したことにより、余りの表示領域の大きさが閾値を超えているか否かを判断する（Ｓ４０２）。つまり、主制御部２６０は、露出面積を調整したことにより、第１のアプリケーションの画像を表示させる表示領域以外の領域の面積が閾値以上のであるかを判定する。
【００７５】
主制御部２６０は、余りの表示領域の大きさが閾値を超えていない（ステップＳ４０２でＮｏ）と判定したら、ステップＳ４０９に進む。また、主制御部２６０は、余りの表示領域の大きさが閾値を超えている（ステップＳ４０２でＹｅｓ）と判定したら、余りの表示領域に表示可能なアプリケーションがあるかを判定する（ステップＳ４０３）。なお、主制御部２６０は、余りの表示領域に表示可能なアプリケーションであるか否かは、表示領域の面積が条件を満たしているかに加えて、第１のアプリケーションと並列で実行できるアプリケーションであるかも判定する。
【００７６】
主制御部２６０は、表示可能なアプリケーションはない（ステップＳ４０３でＮｏ）と判定したら、ステップＳ４０９に進む。また、主制御部２６０は、表示可能なアプリケーションがある（ステップＳ４０３でＹｅｓ）と判定したら、表示可能なアプリケーションの一覧を作成し、表示させる（ステップＳ４０４）。
【００７７】
その後、主制御部２６０は、アプリケーションの選択操作があるか否かを判定する（ステップＳ４０５）。つまり、主制御部２６０は、ステップＳ４０４でリストとして表示させたアプリケーションのうち１つのアプリケーションを選択する操作が入力されたかを判定する。主制御部２６０は、アプリケーションが選択されていない（ステップＳ４０５でＮｏ）と判定したら、ステップＳ４０９に進む。また、主制御部２６０は、アプリケーションが選択された（ステップＳ４０５でＹｅｓ）と判定したら、選択されたアプリケーションを起動させ（ステップＳ４０６）、起動させたアプリケーションの画像を第１のアプリケーションの画像と並列に表示させる（ステップＳ４０７）。
【００７８】
その後、主制御部２６０は、余りの表示領域の大きさが閾値を超えているか否かを判定する（Ｓ４０８）。つまり、主制御部２６０は、ステップＳ４０７で画像を並列表示した後、画像が表示されていない領域の面積が閾値以上であるかを判定する。主制御部２６０は、余りの表示領域の大きさが閾値を超えている（ステップＳ４０８でＹｅｓ）と判定したら、ステップｓ４０３に進み、上記処理を繰り返す。これにより、表示部１２には、３つ以上のアプリケーションの画像を表示させることも可能となる。また、主制御部２６０は、余りの表示領域の大きさが閾値を超えていない（ステップＳ４０８でＮＯ）と判定したら、処理を終了する。
【００７９】
また、主制御部２６０は、ステップＳ４０２、ステップＳ４０３、ステップＳ４０５において、ＮＯと判定されたら、実行しているアプリケーションの操作処理のみを行い（ステップＳ４０９）、処理を終了する。
【００８０】
このように、携帯電子機器１０は、表示領域の大きさに応じて、起動させ、画像を表示させるアプリケーションを選択することが可能となり、表示部を効率よく利用することができる。
【００８１】
また、上記実施形態では、露出面積を適切に調整することができ、また、表示させる画像の制御も簡単となるため、ユーザの入力指示に基づいて、駆動モータ１６を駆動させて表示部１２を筐体１１から露出させたが、ユーザが手動で表示部の露出面積を調整するようにしてもよい。つまり、ユーザが表示部の端部を持ち、表示部１２を引っ張ることで、表示部１２を筐体１１から露出させるようにしてもよい。
【００８２】
ここで、表示部１２の露出面積を手動で調整できる構成とした場合、携帯電子機器１０は、巻取り部１４の回転量等に基づいて露出面積を検出する露出面積検出部を設け、主制御部２６０で、算出された露出面積に基づいて表示させる画像を制御すればよい。このように表示部１２の露出面積（つまり表示領域の露出面積）を検出し、その露出面積に基づいて、表示部１２に表示させる画像を調整することで、露出されている領域のみに画像を表示させることができ、表示部を効率よく利用することができる。
【産業上の利用可能性】
【００８３】
以上のように、本発明にかかる携帯電子機器は、画像を表示させる表示部を備える携帯電子機器として用いることに適している。
【符号の説明】
【００８４】
１０  携帯電子機器
１１ａ  開口部
１２  表示部
１２１  画像（アイコン）
１２２  選択画面（リスト）
１２３，１２４  表示領域
１４  巻き取り部
１６  駆動モータ
１６ａ  ウォーム
１８  操作部
１８ａ  方向及び決定キー
２０  撮像部
２２  マイク
２４  レシーバ
２６  制御装置
２６０  主制御部
２６１  表示制御部
２６３  表示部移動制御部
２６４  撮像制御部
２６９  記憶部
【図１】
2011135365.tif 000003
【図２】
2011135365.tif 000004
【図３】
2011135365.tif 000005
【図４】
2011135365.tif 000006
【図５−１】
2011135365.tif 000007
【図５−２】
2011135365.tif 000008
【図６】
2011135365.tif 000009
【図７−１】
2011135365.tif 000010
【図７−２】
2011135365.tif 000011
【図７−３】
2011135365.tif 000012
【図８】
2011135365.tif 000013
【図９−１】
2011135365.tif 000014
【図９−２】
2011135365.tif 000015
【図１０】
2011135365.tif 000016
【図１１−１】
2011135365.tif 000017
【図１１−２】
2011135365.tif 000018
【図１１−３】
2011135365.tif 000019
【図１２】
2011135365.tif 000020